(57)【要約】【課題】大西洋中央海領が約北緯55°で終わっている。北緯55°より北側では水深が浅くなっている。しかし、大西洋中央海嶺の印は消えてはいるが、その痕は約北緯65°まで続いている。その部分は直線でカットされている。これはどうしてか。アフリカ大陸の西側は、陥没した状態になったのはどうしてか。【解決手段】北緯55°より北側では水深が浅くなっているのは、ハドソン湾に落ちた隕石の衝撃波により、岩が砕け。その岩をまき散らしたためです。大西洋中央海嶺の印は消えてはいるが、その痕は約北緯65°まで続いているのは、大西洋中央海嶺により、アイルランド島とグレートブリテン島は北アメリカ大陸のラブラドル高原から切り離されたことを示す。グリーランドとスカンジナビア半島は連結されていた。大陸が1つであった時、アフリカ大陸の西側はどこに存在していたかを調べる。【選択図】図１
2015037345.tif 000002
【特許請求の範囲】
【請求項１】
図に基づいて説明する。ハドソン湾に隕石が落ちたためにできた衝撃波を  衝撃波  として示す。
１は大西洋中央海嶺が約北緯55°で終わっていることを示す。
2は北緯55°より北側では水深が浅くなっていることを示す。
このことは、ハドソン湾に隕石が落ち、その衝撃波は北緯55°以北を、走った。
衝撃波により岩石は砕け、衝撃波によりその岩石は運ばれた事を示唆している。
即ち、大西洋中央海嶺が存在する水深は約4000m〜6000mです。それが約北緯55°で終わり、急に水深が約2000m〜4000mに成ります。
水深が約4000m〜6000mから、急に水深が約2000m〜4000mに成るために必要なことは、2000mの高さを作る何かです。
しかも、北緯55°から北緯80°の間です。経緯80°から0°の間です。
はたして何が積まれたのでしょうか。
それは衝撃波が作った岩石です。
衝撃波は岩石を砕きます。衝撃波は砕いた岩石を運びます。
衝撃波の通った所には、岩石が堆積されます。衝撃波が北緯55°以北を、走ったところに岩石は堆積されました。
【請求項２】
しかし、3は大西洋中央海嶺の印は消えてはいるが、その痕は約北緯65°まで続いていることを示す。
このことは、大西洋中央海嶺ができたのちに、  ハドソン湾に隕石が落ちたために、その衝撃波によって大西洋中央海嶺は覆われた事を示唆している。
即ち、大西洋中央海嶺ができていたその上を、後の時代に、衝撃波が走り、岩石を砕き、その岩石をまき散らして移動したので、大西洋中央海嶺は覆われてしまった。
約北緯65°まで続いていることによって、  大西洋中央海嶺により、アイルランド島とグレートブリテン島は北アメリカ大陸のラブラドル高原から切り離され事を示唆している。
それから何億年か後の時代、恐竜を絶滅させた、隕石がハドソン湾に落ちた。
この時代のひだたりを考えると、現代のアイルランド島とグレートブリテン島はハドソン湾に落ちた隕石の衝撃波によってできたと考えるのは正しい。
【請求項３】
4は大西洋中央海嶺の印が約北緯65°の所で直線状にカットされていることによって理解できる事。
グリーンランドとスカンジナビア半島は大西洋中央海嶺によって切り離されなかった。
グリーランドとスカンジナビア半島は堅い楯状地でできているので、大西洋中央海嶺によって切り離されなかった。
グリーランドとスカンジナビア半島はハドソン湾に落ちた隕石の衝撃波により切り離された。
このことによって、衝撃波の力の方が大西洋中央海嶺の力より強いことが理解できる。
それで、私が2009年7月17日に提出した、特願2009−168464、「恐竜を絶滅させた隕石の衝撃波は何を作ったか。」において記したことも正しいと考えられる。
【請求項４】
ハドソン湾に隕石が落下したことによって、できた物は何か。
1．ハドソン湾ができ、バッフィン島が分離した。
2．デーヴェス海峡ができグリーランドが分離した。
3．デンマーク海峡ができ、スカンジナビア半島はグリーランドから離れた。
【請求項５】
バッフィン島の分離やグリーランドの分離やスカンジナビア半島の分離は、大西洋中央海嶺が行ったのではないことをどうして理解できるか。
大西洋中央海嶺が、それらの島と島の中間に無いので、大西洋中央海嶺が分離したのではない。
【請求項６】
バッフィン島の分離やグリーランドの分離やスカンジナビア半島の分離は、ハドソン湾に隕石が落下した事が行った事はどうして理解できるか。
バッフィン島や、グリーランドや、スカンジナビア半島の周囲の状態は無理に引き裂かれたような状態である。これは、隕石が起こした衝撃波により、砕かれたためにできた物です。
【請求項７】
メキシコ湾やカリブ海に落ちた隕石が大陸移動に関与したことは何によって立証できるか。
5はアフリカ大陸の西側は、陥没した状態になっている。
この部分は、大陸が１つであった時代、メキシコ湾やカリブ海の上の部分に相当する。
それで、メキシコ湾やカリブ海に隕石が落ちた時、衝撃波が地中海方面に走った。
その時、アフリカ大陸の西側は、陥没した状態になったと考える。
【発明の詳細な説明】
【技術分野】
【０００１】
本発明は、大陸移動に関するものである。
【背景技術】
【０００２】
私は大陸の移動は隕石が落下し、地殻を分裂し、地殻の下に亀裂を生じさせ、そこからマグマが噴出し、海峡や海領を作った。そして、大陸を移動させたと考えた。
2009年7月14日に提出した、特願、2009−165179、「恐竜を絶滅させた隕石はどこに落ちたか」において、次のように考えた。
恐竜を撲滅させた隕石は、現在、ハドソン湾になっている場所に落ちた。隕石が落ちて、移動した楯状地は、現在、バフィン島になっていることがパズルによって証明できる。
そして更に、ハドソン湾の周辺は海抜が低い事によっても証明できる。
この発明によって、北アメリカの地形がどのようにできたのか、理解できる。
北部のカナダ楯状地は、亀裂し、北部に移動し、バンクス島、ビクトリア島、クイーンエリザベス諸島になった。
北東部のカナダ楯状地は、亀裂し、北東に移動し、グリーンランドのカナダ楯状地になった。
隕石が落ちる以前、カナダ楯状地は１つにまとまっていた。
2009年7月17日に提出した、特願2009−168464、「恐竜を絶滅させた隕石の衝撃波は何を作ったか。」において、次のように考えた。
１．恐竜を絶滅させた隕石落下の衝撃波は、強力な力で地面を振ったので、恐竜や樹木は地に立っておられず、地から投げ飛ばされた。それで、恐竜は絶滅したと考えられる。何しろ、岩をも切り離す力なのですから。
２．隕石落下の衝撃波は、東西南北に伝わり、シカゴ楯状地を切り離した。
北のクイーンエリザベス諸島、バンクス島、ビクトリア島、プリンスオブウエールス島、が切り離された。
北東部では、グリーランド、バフィン島、メルビル半島、が切り離された。
ハドソン湾ができた部分からは、ホール半島、ミータインコグニタ半島、フォックス半島、プリンスチャールズ島、サウサンレプトン島が切り離された。
東南からは、アイスランド、ニューファンドランド島が切り離された。
３．隕石は、固い地層でできているスカンジナビア半島にも亀裂を生じさせた。フィヨルドは、氷河が長い年月岩を削り取ってできた、と理解されているが、もしそうであるなら、スウエーデン側にもフィヨルドは存在するはずである。ノルウエーの沿岸に亀裂が特に多いのは、ハドソン湾のところに落下した隕石の衝撃波が作ったものである。
４．デンマークのシェラン島とロラン島は、隕石の衝撃波により、ユラン半島より切り離された。フユン島も亀裂した。
５．アイルランド島は、隕石の衝撃波により、グレートブリテン島より切り離された。
アウターヘブリデイーズ諸島、ノースウエストハイランズは、隕石の衝撃波により、グレートブリテン島より切り離された。
６．更に、隕石の衝撃波により、グレートブリテン島はユーラシア大陸の西部より切り離されたとも考えられる。
7．日本は、隕石の衝撃波により、ユーラシア大陸東部より切り離されてできた。
８．グランド・キャニオンは、90度の絶壁のところもある。これは氷河の侵食によりできた物ではない。切り離されてできた物です。隕石の衝動波により切り離されてできた。
2009年7月22日に提出した、特願2009−170811、「恐竜を絶滅させた隕石の衝撃波は何を作ったか。その２。」では次のように考えた。
ハドソン湾に落ちた、隕石の衝撃波は、地下深く振動させた。その振動により、カナダ楯状地は切り離された。ユーラシア大陸の西部のグレートブリテン島＋アイルランド島は切り離された。
同じ地下の振動によって、ユーラシア大陸の西部のデンマークは切り離された。
ノルエーに当たった衝撃波の地下の力は、スカンデイナヴィア山脈を振動させ、地盤のゆるい地帯を切り離した。そして、移動させた。
それで、スカンデイナヴィア半島は、ユーラシア大陸から離れた。  
2009年8月11日に提出した、特願2009−186464、「パンゲア(超大陸)はどのように分裂したか。」では次のように考えた。
パンゲア大陸はメキシコ湾とカリブ海に落下した隕石の衝撃波の力によって分裂した。
メキシコ湾とカリブ海は分裂した場所に近い。この事によって、力は強く作用する。そして、南アメリカからはアフリカ大陸、北アメリカからはヨーロッパ大陸を分裂した。
その次の時代には、スエズ湾を作った衝撃波の力は東南アジアをアフリカから分離した。
2009年9月10日に提出した、特願2009−209866、「パンゲア(超大陸)はどのように分裂したか。その２」では次のように考えた。
パンゲア大陸はメキシコ湾に落下した隕石の衝撃波の力によって分裂し移動した。その証拠は、メキシコ湾を中心にパンゲアの分裂は行われています。
メキシコ湾の北東方面に走った衝撃波により、亀裂が生じた。そしてできたのが、北アメリカ大陸です。
メキシコ湾の北東方面に走った衝撃波は、途中で方向転換し、東の方向に走った。これにより、亀裂は東の方向にでき、ヨーロッパ大陸とアフリカ大陸ができました。
メキシコ湾の東の方向に走った衝撃波により、亀裂が生じた。
メキシコ湾の東の方向に走った衝撃波は、途中で方向転換し、南の方向に走った。これにより、亀裂は逆L字型にでき、南アメリカ大陸とアフリカ大陸ができました。
【先行技術文献】
【特許文献】
【０００３】
【特許文献１】特願2009−165179
【特許文献１】特願2009−168464
【特許文献１】特願2009−170811
【特許文献１】特願2009−186278
【特許文献１】特願2009−209866
【特許文献１】特願2009−230099
【特許文献１】特願2011−256192
【特許文献１】特願2011−259978
【発明の概要】
【発明が解決しようとする課題】
【０００４】
ハドソン湾に隕石が落ちたことが何によって立証できるか。
大西洋中央海嶺が約北緯55°で終わっている。これはどうしてか。
北緯55°より北側では水深が浅くなっている。これはどうしてか。
しかし、良く観ると、大西洋中央海嶺の印は、北緯55°で終わっているのではない。
色は薄くなり、大西洋中央海嶺の印は消えてはいるが、少しその痕は残っている。約北緯65°まで続いている。この事は何を意味するか。
大西洋中央海嶺の印が約北緯65°の所で直線状に切れている。この事は何を意味するか。
メキシコ湾やカリブ海に落ちた隕石が大陸移動に関与したことは何によって立証できるか。
【課題を解決するための手段】
【０００５】
・大西洋中央海嶺が約北緯55°で終わっている。北緯55°より北側では水深が浅くなっている。
これは、大西洋中央海嶺ができたのちに、ハドソン湾に隕石が落ちてできた衝撃波は岩石を砕き、それをばらまいたので、  大西洋中央海嶺は覆われたと考える。
ハドソン湾に隕石が落ちてできた衝撃波は岩石を砕き、それをばらまいたので、北緯55°より北側では水深が浅くなっていると考える。
・アフリカ大陸の西側は、陥没した状態になっている。
これは、大陸が1つであった時、アフリカ大陸の西側はどこの位置に存在したかを調べ何が原因で陥没した状態になったかを考える。
【発明の効果】
【０００６】
・大西洋中央海嶺が約北緯55°で終わっている。
北緯55°より北側では水深が浅くなっていること。
このことは、ハドソン湾に隕石が落ち、その衝撃波は北緯55°以北を、走った事を示唆している。
衝撃波により岩石は砕け、衝撃波によりその岩石は運ばれた事を示唆している。
・大西洋中央海嶺の印は消えてはいるが、その痕は約北緯65°まで続いている。
このことは、大西洋中央海嶺ができたのちに、  ハドソン湾に隕石が落ちたために、その衝撃波によって大西洋中央海嶺は覆われた事を示唆している。
・大西洋中央海嶺の印が約北緯65°の所で直線状にカットされている。
このことは、グリーンランドとスカンジナビア半島は堅いので、大西洋中央海嶺によって切り離されなかった。
このことは、大西洋中央海嶺の力より衝撃波の力が強い。
・大西洋中央海嶺の印は消えてはいるが、その痕は約北緯65°まで続いている。
このことは、大西洋中央海嶺により、アイルランド島とグレートブリテン島は北アメリカ大陸のラブラドル高原から切り離された事を示唆している。
しかし、時代の流れを考慮すると、現代の地形はハドソン湾に落ちた隕石の衝撃波が作った。
2009年7月17日に提出した、特願2009−168464、「恐竜を絶滅させた隕石の衝撃波は何を作ったか。」において記したことも正しいと考えられる。
・ハドソン湾に隕石が落下したことによって、できた物は何か。
1．ハドソン湾ができ、バッフィン島が分離した。
2．デーヴェス海峡ができグリーランドが分離した。
3．デンマーク海峡ができ、スカンジナビア半島はグリーランドから離れた。
・アフリカ大陸の西側は、陥没した状態になっている。
これは、メキシコ湾やカリブ海に隕石が落ちた時、衝撃波が地中海方面に走ったので沈没したと考える。
【図面の簡単な説明】
【０００７】
【図１】図１は現代の大西洋の地図  １は大西洋中央海嶺が約北緯55°で終わっていることを示す。２は北緯55°より北側では水深が浅くなっていることを示す。これは北緯55°以北を、ハドソン湾に隕石が落ちたために、その衝撃波が走った事を示唆する。３は良く観ると、大西洋中央海嶺の印は、北緯55°で終わっているのではない。色は薄くなり、大西洋中央海嶺の印は消えてはいるが、少しその痕は約北緯65°まで続いていることを示す。これらのことは、  大西洋中央海嶺ができたのちに、  ハドソン湾に隕石が落ちたために、その衝撃波によって大西洋中央海嶺は覆われたと考えられる。約北緯65°まで続いていることによって、  大西洋中央海嶺により、アイルランドとイングランドは北アメリカ大陸のラブラドル高原から切り離されたと理解できる。しかし、時代の流れを考慮すると現代の地形はハドソン湾に落ちた隕石の衝撃波が作った。４は大西洋中央海領の印が約北緯65°の所で直線状にカットされていることを示す。この事によって、グリーランドとスカンジナビア半島は大西洋中央海領によって切り離されなかったと理解できる。５はアフリカ大陸の西側の陥没した状態の部分を示す。
【図２】図2は大陸が1つであったとき、5のアフリカ大陸の西側の陥没した状態の部分が存在した位置を示す。この部分は、大陸が１つであった時代、メキシコ湾やカリブ海の上の部分に相当する。それで、メキシコ湾やカリブ海に隕石が落ちた時、衝撃波が地中海方面に走った。その時、アフリカ大陸の西側は、陥没した状態になったと考える。
【発明を実施するための形態】
【０００８】
１．    図に基づいて説明する。ハドソン湾に隕石が落ちたためにできた衝撃波を  衝撃波  として示す。
１は大西洋中央海嶺が約北緯55°で終わっていることを示す。
2は北緯55°より北側では水深が浅くなっていることを示す。
このことは、ハドソン湾に隕石が落ち、その衝撃波は北緯55°以北を、走った事を示唆している。
衝撃波により岩石は砕け、衝撃波によりその岩石は運ばれた事を示唆している。
即ち、大西洋中央海嶺が存在する水深は約4000m〜6000mです。それが約北緯55°で終わり、急に水深が約2000m〜4000mに成ります。
水深が約4000m〜6000mから、急に水深が約2000m〜4000mに成るために必要なことは、2000mの高さを作る何かです。
しかも、北緯55°から北緯80°の間です。経緯80°から0°の間です。
はたして何が積まれたのでしょうか。
それは衝撃波が作った岩石です。
衝撃波は岩石を砕きます。衝撃波は砕いた岩石を運びます。
衝撃波の通った所には、岩石が堆積されます。衝撃波が北緯55°以北を、走ったところに岩石は堆積されました。
２．  しかし、3は大西洋中央海嶺の印は消えてはいるが、その痕は約北緯65°まで続いていることを示す。
このことは、大西洋中央海嶺ができたのちに、  ハドソン湾に隕石が落ちたために、その衝撃波によって大西洋中央海嶺は覆われた事を示唆している。
即ち、大西洋中央海嶺ができていたその上を、後の時代に、衝撃波が走り、岩石を砕き、その岩石をまき散らして移動したので、大西洋中央海嶺は覆われてしまった。
約北緯65°まで続いていることによって、  大西洋中央海嶺により、アイルランド島とグレートブリテン島は北アメリカ大陸のラブラドル高原から切り離され事を示唆している。
それから何億年か後の時代、恐竜を絶滅させた、隕石がハドソン湾に落ちた。
この時代のひだたりを考えると、現代のアイルランド島とグレートブリテン島はハドソン湾に落ちた隕石の衝撃波によってできたと考えるのは正しい。
３．  4は大西洋中央海嶺の印が約北緯65°の所で直線状にカットされていることによって理解できる事。
グリーンランドとスカンジナビア半島は大西洋中央海嶺によって切り離されなかった。
グリーランドとスカンジナビア半島は堅い楯状地でできているので、大西洋中央海嶺によって切り離されなかった。
グリーランドとスカンジナビア半島はハドソン湾に落ちた隕石の衝撃波により切り離された。
このことによって、衝撃波の力の方が大西洋中央海嶺の力より強いことが理解できる。
それで、私が2009年7月17日に提出した、特願2009−168464、「恐竜を絶滅させた隕石の衝撃波は何を作ったか。」において記したことも正しいと考えられる。
４．    ハドソン湾に隕石が落下したことによって、できた物は何か。
1．ハドソン湾ができ、バッフィン島が分離した。
2．デーヴェス海峡ができグリーランドが分離した。
3．デンマーク海峡ができ、スカンジナビア半島はグリーランドから離れた。
５．    バッフィン島の分離やグリーランドの分離やスカンジナビア半島の分離は、大西洋中央海嶺が行ったのではないことをどうして理解できるか。
大西洋中央海嶺が、それらの島と島の中間に無いので、大西洋中央海嶺が分離したのではない。
６．    バッフィン島の分離やグリーランドの分離やスカンジナビア半島の分離は、ハドソン湾に隕石が落下した事が行った事はどうして理解できるか。
バッフィン島や、グリーランドや、スカンジナビア半島の周囲の状態は無理に引き裂かれたような状態である。これは、隕石が起こした衝撃波により、砕かれたためにできた物です。
７．    メキシコ湾やカリブ海に落ちた隕石が大陸移動に関与したことは何によって立証できるか。
5はアフリカ大陸の西側は、陥没した状態になっている。
この部分は、大陸が１つであった時代、メキシコ湾やカリブ海の上の部分に相当する。
それで、メキシコ湾やカリブ海に隕石が落ちた時、衝撃波が地中海方面に走った。
その時、アフリカ大陸の西側は、陥没した状態になったと考える。
【産業上の利用可能性】
【０００９】
大陸の分離を理解することは、石油の埋蔵地や資源の埋蔵地を予測することに貢献する。
【符号の説明】
【００１０】
１    大西洋中央海領は約北緯55°で終わっている。
２    北緯55°より北側では水深が浅くなっている。
３    良く観ると、大西洋中央海領の印は消えてはいるが、少しその痕は約北緯65°まで残っている。
４    大西洋中央海領の印が約北緯65°の所で直線状にカットされている。
５    アフリカ大陸の西側は、陥没した状態になっている。
【図１】
2015037345.tif 000003
【図２】
2015037345.tif 000004